(57)【要約】【課題】電気配線を、躯体部材に直接接触しないようにして躯体部材に固定するにあたり、省スペース化を図ると共に、固定作業を簡単にする。【解決手段】バッテリケーブル１を、躯体部材に固着されるブラケット２と樹脂製のストラップ部材３とを用いて躯体部材４に固定するにあたり、ストラップ部材３は、ブラケット２に組付けられるホルダ５部と、該ホルダ部５から延びるストラップ６とを備えると共に、該ストラップ６を、ホルダ部５の反躯体部材側面部に当てがわれたバッテリケーブル１に掛け回してから、ブラケット２と躯体部材４との間に形成される間隙Ｓを通って、ホルダ部５に形成されるストラップ係止部５ｅに至るように巻回することで、ホルダ部５をブラケット２に固定すると共に、バッテリケーブル１をストラップ６とホルダ部５との間に挟持固定する構成にした。【選択図】図１
2008283817.tif 000002
【特許請求の範囲】
【請求項１】
電気配線を、躯体部材に固着されるブラケットと樹脂製のストラップ部材とを介して躯体部材に固定するにあたり、前記ストラップ部材は、ブラケットに組付けられるホルダ部と、該ホルダ部から延びるストラップとを備える一方、ブラケットは、躯体部材との間に前記ストラップの先端側が通る間隙を形成すると共に、前記ホルダ部から延びるストラップは、ホルダ部の反躯体部材側面部に当てがわれた電気配線に掛け回されてから、前記ブラケットと躯体部材との間の間隙を通って、ホルダ部に形成されるストラップ係止部に至るように巻回されることで、ホルダ部をブラケットに固定すると共に、電気配線をストラップとホルダ部との間に挟持固定する構成であることを特徴とする電気配線の固定構造。
【請求項２】
ホルダ部は、ブラケットに係止するブラケット係止部を備えることを特徴とする請求項１に記載の電気配線の固定構造。
【請求項３】
ホルダ部の反躯体部材側面部には、電気配線が当てがわれる凹部が形成されることを特徴とする請求項１または２に記載の電気配線の固定構造。
【請求項４】
ブラケットは、一対の側面部と底面部とからなるコ字形状のものであって、一対の側面部の先端側が躯体部材に固着される一方、底面部と躯体部材との間に、ストラップが通る間隙が形成されることを特徴とする請求項１乃至３の何れか一項に記載の電気配線の固定構造。
【請求項５】
ブラケットは、チェ−ンリンク形状のものであって、リンク長手方向両端部が躯体部材に固着される一方、リンク長手方向中間部が躯体部材から浮くよう湾曲していると共に、該リンク長手方向中間部と躯体部材との間に、ストラップが通る間隙が形成されることを特徴とする請求項１乃至３の何れか一項に記載の電気配線の固定構造。
【発明の詳細な説明】
【技術分野】
【０００１】
本発明は、ケーブルやハーネス等の電気配線の固定構造の技術分野に属するものである。
【背景技術】
【０００２】
一般に、油圧ショベル等の各種作業機械のなかには、バッテリを搭載すると共に、該バッテリから電源供給されるスタータモータや、オルタネータ、ライト、エアコンディショナ、センサ、計器等の各種電装機器類を搭載したものがある。これら電装機器類には、ケーブルやハーネス等の電気配線が接続されるが、該電気配線を作業機械に配線するにあたり、フリーの状態で配線されると、機体振動と共に動いて周辺物に接触して断線したりショートしたりする惧れがあり、そこで、従来から、床面や機体フレーム等の躯体部材に、クリップやストラップ等で固定することが一般的に行われている。
ところで、バッテリのプラス側端子に接続されるバッテリケーブルは、万一ショートすると被害が大きくなる惧れがあり、このため、金属類と接触しない状態で配線することが望ましい。つまり、バッテリケーブルが固定される躯体部材が金属製の場合には、該金属製の躯体部材と接触しないように配線することが望まれる。
一方、バッテリからエンジン付設の電気機器に接続される電気配線を配線するにあたり、エンジンの外周面にガイド部材を固設し、該ガイド部材にクランプバンドを介して電気配線を固定するようにした技術が提唱されている（例えば、特許文献１参照。）。このものにおいて、ガイド部材は、金属製のエンジンボディから浮いた状態で設けられているから、該ガイド部材を樹脂製のものとすることにより、電気配線を、金属類と接触しない状態で配することができる。
【特許文献１】実開平６−５３６５４号公報
【発明の開示】
【発明が解決しようとする課題】
【０００３】
しかるに、前記ガイド部材は、エンジンの外周面から突出する状態でエンジンの前部側から後部側にわたって広範囲に張架されており、このため、エンジンの外周側にガイド部材を配設するためのスペースを広く確保する必要が生じるが、例えばミニショベルのような小型の機種にあっては、エンジンの外周側にガイド部材配設用のスペースを広く確保することは難しいという問題がある。さらに、電気配線を配線するにあたり、まず、ガイド部材に設けられた固定用ブラケットをエンジンの外周面にボルト等により固定し、さらに該ガイド部材に電気配線をクランプバンドを介して固定するという二工程の作業が必要であって、作業効率に劣るという問題があり、ここに本発明が解決しようとする課題がある。
【課題を解決するための手段】
【０００４】
本発明は、上記の如き実情に鑑みこれらの課題を解決することを目的として創作されたものであって、請求項１の発明は、電気配線を、躯体部材に固着されるブラケットと樹脂製のストラップ部材とを介して躯体部材に固定するにあたり、前記ストラップ部材は、ブラケットに組付けられるホルダ部と、該ホルダ部から延びるストラップとを備える一方、ブラケットは、躯体部材との間に前記ストラップの先端側が通る間隙を形成すると共に、前記ホルダ部から延びるストラップは、ホルダ部の反躯体部材側面部に当てがわれた電気配線に掛け回されてから、前記ブラケットと躯体部材との間の間隙を通って、ホルダ部に形成されるストラップ係止部に至るように巻回されることで、ホルダ部をブラケットに固定すると共に、電気配線をストラップとホルダ部との間に挟持固定する構成であることを特徴とする電気配線の固定構造である。
請求項２の発明は、ホルダ部は、ブラケットに係止するブラケット係止部を備えることを特徴とする請求項１に記載の電気配線の固定構造である。
請求項３の発明は、ホルダ部の反躯体部材側面部には、電気配線が当てがわれる凹部が形成されることを特徴とする請求項１または２に記載の電気配線の固定構造である。
請求項４の発明は、ブラケットは、一対の側面部と底面部とからなるコ字形状のものであって、一対の側面部の先端側が躯体部材に固着される一方、底面部と躯体部材との間に、ストラップが通る間隙が形成されることを特徴とする請求項１乃至３の何れか一項に記載の電気配線の固定構造である。
請求項５の発明は、ブラケットは、チェ−ンリンク形状のものであって、リンク長手方向両端部が躯体部材に固着される一方、リンク長手方向中間部が躯体部材から浮くよう湾曲していると共に、該リンク長手方向中間部と躯体部材との間に、ストラップが通る間隙が形成されることを特徴とする請求項１乃至３の何れか一項に記載の電気配線の固定構造である。
【発明の効果】
【０００５】
請求項１の発明とすることにより、電気配線と躯体部材との間には、樹脂製のストラップ部材のホルダ部が介装された状態となって、電気配線と躯体部材とが直接接触することなく、而して、万一電気配線の皮膜が損傷したような場合であっても、ショートしてしまう惧れを確実に回避できると共に、電気配線を固定するのに必要なスペースを小さくすることができ、省スペース化に貢献できる。しかも、スクラップを巻回するだけで、電気配線の挟持固定、およびホルダ部のブラケットへの固定が行われることになるから、電気配線の固定作業を、簡単且つ短時間で行えることになって、作業効率の向上に大きく貢献できると共に、ホルダ部をブラケットに固定するための別途部品を必要とせず、部品点数を削減できて、コストダウンに貢献できる。
請求項２の発明とすることにより、ホルダ部をブラケットに位置決め状態で容易に組み付けることができる。
請求項３の発明とすることにより、電気配線を、位置決めされた状態でホルダ部の反躯体部材側面部に当てがうことができると共に、該ホルダ部とストラップとの間に挟持固定されたバッテリケーブルが、機体振動等によりガタついてしまうことを防止できる。
請求項４の発明とすることにより、簡単な構造のブラケットを用いて、電気配線を固定することができる。
請求項５の発明とすることにより、簡単な構造のブラケットを用いて、電気配線を固定することができる。
【発明を実施するための最良の形態】
【０００６】
次に、本発明の第一の実施の形態について、図１〜図３に基づいて説明する。これらの図面において、１はバッテリ（図示せず）のプラス側端子に接続されるバッテリケーブル（本発明の電気配線に相当する）であって、該バッテリケーブル１は、例えばエンジン始動用のスタータモータ（図示せず）に至るように配線されるが、該配線経路の適宜箇所において、後述するブラケット２およびストラップ部材３を介して、躯体部材４（例えば、機体床面や機体フレーム、或いは機体床面や機体フレームに固定される作動油タンク、燃料タンク、エンジン、ラジエータ等の装置）に固定されている。
【０００７】
前記ブラケット２は、互いに対向する一対の側面部２ａ、２ｂと、該側面部２ａ、２ｂの基端同士を連結する底面部２ｃとが一体形成されたコ字形状のものであって、上記一対の側面部２ａ、２ｂの先端側は、溶接等により躯体部材４に固着されている。また、ブラケット２の底面部２ｃは躯体部材４から離間しており、而して、底面部２ｃと躯体部材４との間に、後述するストラップ６が通る間隙Ｓが形成されている。
【０００８】
一方、前記ストラップ部材３は、樹脂製のものであって、前記ブラケット２に組付けられるホルダ部５と、該ホルダ部５から延びるストラップ６とが一体形成されている。
【０００９】
前記ストラップ部材３のホルダ部５は、ブラケット２の底面部２ｃの反躯体部材側面部に当てがわれる直方体形状のホルダ本体部５ａと、該ホルダ本体部５ａの上部から躯体部材４側に向けて突出形成され、ブラケット２の上縁部に上側から係止するブラケット係止部５ｂと、ホルダ本体部５ａの反躯体部材側面部の上下方向略中央部に左右方向全長に亘って形成され、バッテリケーブル１が当てがわれる円弧状の凹部５ｃと、該凹部５ｃよりも下方部位においてホルダ本体部５ａを前後方向に貫通するように形成されるストラップ貫通孔５ｄと、ブラケット係止部５ｂを上下方向に貫通するように形成されるストラップ係止孔部（本発明のストラップ係止部に相当する）５ｅとを備えている。
尚、本実施の形態では、ホルダ本体部５ａを中心として、ブラケット係止部５ｂが形成される側を上方、その反対側を下方、バッテリケーブル１が当てがわれる側を前方、躯体部材４側を後方とし、さらにこれら上下方向および左右方向に直交する方向を左右方向として説明するが、この上下前後左右の方向は便宜上のものであって、実際の方向を示すものではなく、また、方向を限定するものでもない。
【００１０】
一方、ストラップ６は、前述したようにホルダ部５と一体形成されるものであって、ホルダ本体部５ａの反躯体部材側面部の凹部５ｃの上方部位を基端として延びている。そして、前記ホルダ部５は、ブラケット２の上縁部にブラケット係止部５ｂを係止させるようにして、ブラケット２の底面部２ｃの反躯体部材側面部にホルダ本体部５ａを当てがうことでブラケット２に組付けられるが、該ブラケット２に組付けたホルダ部５の凹部５ｃにバッテリケーブル１を当てがい、この状態で、前記凹部５ｃの上方部位から延びるストラップ６をバッテリケーブル１に掛け回し、さらに該バッテリケーブル１に掛け回したストラップ６の先端側を、凹部５ｃの下方部位に形成されたストラップ貫通孔５ｄを貫通させてブラケット２の下方に引き出し、該ブラケット２の下方から底面部２ｃと躯体部材４との間の間隙Ｓを通してブラケット２の上方に引き出して、ブラケット２の上縁部に係止しているブラケット係止部５ｂに形成のストラップ係止孔部５ｅに挿通せしめることによって、ストラップ６は、バッテリケーブル１とホルダ部５とブラケット２の底面部２ｃとを一纏めに括るように巻回されることになり、これにより、ブラケット２にホルダ部５が固定されると共に、該ホルダ部５とストラップ６との間にバッテリケーブル１が挟持固定されるように構成されている。
尚、前記ストラップ係止孔部５ｅに挿通されたストラップ６の先端部は、図示しないが、例えば、ストラップ６の先端部およびストラップ係止孔部５ｅの内周面に形成された係止突起同士が係止し合うことで、ストラップ係止孔部５ｅからの抜け止めがなされるように構成されている。
【００１１】
叙述の如く構成された第一の実施の形態において、バッテリケーブル１は、躯体部材４に固着されたコ字形状のブラケット２と樹脂製のストラップ部材３とを介して躯体部材４に固定されることになるが、上記ストラップ部材３は、ブラケット２に組付けられるホルダ部５と、該ホルダ部５から延びるストラップ６とを備える一方、ブラケット２の底面部２ｃと躯体部材４との間には、前記ストラップ６の先端側が通る間隙Ｓが形成されている。そして、ホルダ部５の反躯体部材側面部に形成された凹部５ｃにバッテリケーブル１を当てがった状態で、前記ホルダ部５から延びるストラップ６を、バッテリケーブル１に掛け回してから、前記ブラケット２の底面部２ｃと躯体部材４との間の間隙Ｓを通って、ホルダ部５に形成されるストラップ係止孔部５ｅに至るように巻回することで、ホルダ部５はブラケット２に固定されると共に、バッテリケーブル１はストラップ６とホルダ部５との間に挟持固定されることになる。
【００１２】
この結果、バッテリケーブル１は、ホルダ部５の反躯体部材側面部に当てがわれた状態で、ストラップ６とホルダ部５との間に挟持固定されることになるから、バッテリケーブル１と躯体部材４との間には、樹脂製のストラップ部材３のホルダ部５が介装された状態となって、バッテリケーブル１と躯体部材４とが直接接触することなく、而して、万一バッテリケーブル１の皮膜が損傷したような場合であっても、ショートしてしまう惧れを確実に回避できると共に、前記バッテリケーブル１が当てがわれるホルダ部５は、ブラケット２の底面部２ｃに対してホルダ部５の厚み分突出するだけであるから、バッテリケーブル１を固定するのに必要なスペースを小さくすることができ、省スペース化に貢献できる。
【００１３】
しかも、前記バッテリケーブル１の挟持固定、およびホルダ部５のブラケット２への固定は、前述したようにストラップ６を巻回するだけで行うことができるから、バッテリケーブル１を、簡単且つ短時間で固定できることになって、作業効率の向上に大きく貢献できると共に、ホルダ部５をブラケット２に固定するための別途部品（例えば、ボルト−ナット等）を必要とせず、部品点数を削減できて、コストダウンに貢献できる。
【００１４】
さらに、前記ホルダ部５は、ブラケット２の上縁部に係止するブラケット係止部５ｂを備えているから、ホルダ部５をブラケット２に位置決め状態で容易に組み付けることができる。
【００１５】
また、ホルダ部５の反躯体部材側面部には、バッテリケーブル１が当てがわれる凹部５ｃが形成されているから、バッテリケーブル１を、位置決めされた状態でホルダ部５の反躯体部材側面部に当てがうことができると共に、該ホルダ部５とストラップ６との間に挟持固定されたバッテリケーブル１が、機体振動等によりガタついてしまうことを防止できる。
【００１６】
次に、第二の実施の形態について、図４〜図６に基づいて説明するが、該第二の実施の形態において、バッテリケーブル１は、後述するブラケット７およびストラップ部材８を介して、躯体部材４に固定されている。
【００１７】
前記ブラケット７は、チェ−ンリンク形状のものであって、リンク長手方向両端部７ａ、７ｂが躯体部材４に溶接等により固着される一方、リンク長手方向中間部７ｃは、躯体部材４から浮くよう前方側に向けて湾曲されている。そして、該リンク長手方向中間部７ｃと躯体部材４との間に、後述するストラップ１０が通る間隙Ｓが形成されている。
【００１８】
一方、前記ストラップ部材８は、第一の実施の形態のストラップ部材３と同様に、樹脂製のものであって、前記ブラケット７に組付けられるホルダ部９と、該ホルダ部９から延びるストラップ１０とが一体形成されている。
【００１９】
前記ストラップ部材８のホルダ部９は、ブラケット７の反躯体部材側に当てがわれる直方体形状のホルダ本体部９ａと、該ホルダ本体部９ａの躯体部材側面部に形成され、ブラケット７に係止する上下一対のブラケット係止溝部（本発明のブラケット係止部に相当する）９ｂと、ホルダ本体部９ａの反躯体部材側面部の上下方向略中央部に左右方向全長に亘って形成され、バッテリケーブル１が当てがわれる円弧状の凹部９ｃと、該凹部９ｃよりも下方部位においてホルダ本体部９ａを前後方向に貫通するように形成されるストラップ貫通孔９ｄと、凹部９ｃよりも上方部位においてホルダ本体部９ａを前後方向に貫通するように形成されるストラップ係止孔部（本発明のストラップ係止部に相当する）９ｅとを備えている。
【００２０】
一方、ストラップ１０は、前述したようにホルダ部９と一体形成されるものであって、ホルダ本体部９ａの反躯体部材側面部の凹部９ｃの上方部位を基端として延びている。そして、前記ホルダ部９は、ホルダ本体部９ａの係止溝部９ｂにブラケット７を係止させるようにして、ブラケット７の反躯体部材側にホルダ本体部９ａを当てがうことでブラケット７に組付けられるが、該ブラケット７に組付けたホルダ部９の凹部９ｃにバッテリケーブル１を当てがい、この状態で、前記凹部９ｃの上方部位から延びるストラップ１０をバッテリケーブル１に掛け回し、さらに該バッテリケーブル１に掛け回したストラップ１０の先端側を、凹部９ｃの下方部位に形成されたストラップ貫通孔９ｄを貫通させてブラケット７の下方に引き出し、該ブラケット７の下方からブラケット７のリンク長手方向中間部７ｃと躯体部材４との間の間隙Ｓを通してブラケット７の上方に引き出して、ホルダ本体部９ａに形成のストラップ係止孔部９ｅに挿通せしめることによって、ストラップ１０は、バッテリケーブル１とホルダ部９とブラケット７のリンク長手方向中間部７ｃとを一纏めに括るように巻回されることになり、これにより、ブラケット７にホルダ部９が固定されると共に、該ホルダ部９とストラップ１０との間にバッテリケーブル１が挟持固定されるように構成されている。
尚、前記ストラップ係止孔部９ｅに挿通されたストラップ１０の先端部は、図示しないが、前述した第一の実施の形態の場合と同様に、例えば、ストラップ１０の先端部およびストラップ係止孔部９ｅの内周面に形成された係止突起同士が係止し合うことで、ストラップ係止孔部９ｅからの抜け止めがなされるように構成されている。
【００２１】
そして、この第二の実施の形態のものも、前述した第一の実施の形態と同様の作用効果を奏することになる。つまり、バッテリケーブル１は、躯体部材４に固着されたチェ−ンリンク形状のブラケット７と樹脂製のストラップ部材８とを介して躯体部材４に固定されることになるが、上記ストラップ部材８は、ブラケット７に組付けられるホルダ部９と、該ホルダ部９から延びるストラップ１０とを備える一方、ブラケット７のリンク長手方向中間部７ｃと躯体部材４との間には、前記ストラップ１０の先端側が通る間隙Ｓが形成されている。そして、ホルダ部９の反躯体部材側面部に形成された凹部９ｃにバッテリケーブル１を当てがった状態で、前記ホルダ部９から延びるストラップ１０を、バッテリケーブル１に掛け回してから、前記ブラケット７のリンク長手方向中間部７ｃと躯体部材４との間の間隙Ｓを通って、ホルダ部９に形成されるストラップ係止孔部９ｅに至るように巻回することで、ホルダ部９はブラケット７に固定されると共に、バッテリケーブル１はストラップ１０とホルダ部９との間に挟持固定されることになる。
【００２２】
この結果、前述した第一の実施の形態の場合と同様に、バッテリケーブル１と躯体部材４との間には、樹脂製のストラップ部材８のホルダ部９が介装された状態となって、バッテリケーブル１と躯体部材４とが直接接触することなく、而して、万一バッテリケーブル１の皮膜が損傷したような場合であっても、ショートしてしまう惧れを確実に回避できると共に、バッテリケーブル１を固定するのに必要なスペースを小さくすることができ、省スペース化に貢献できる。しかも、バッテリケーブル１の挟持固定、およびホルダ部９のブラケット７への固定は、ストラップ１０を巻回するだけで行うことができるから、バッテリケーブル１の固定作業を、簡単且つ短時間で行えることになって、作業効率の向上に大きく貢献できると共に、ホルダ部９をブラケット７に固定するための別途部品を必要とせず、部品点数を削減できて、コストダウンに貢献できる。
【００２３】
さらに、前記ホルダ部９は、ブラケット７に係止するブラケット係止溝部９ｂを備えているから、ホルダ部９をブラケット７に位置決め状態で容易に組み付けることができる。また、ホルダ部９の反躯体部材側面部には、バッテリケーブル１が当てがわれる凹部９ｃが形成されているから、バッテリケーブル１を、位置決めされた状態でホルダ部９の反躯体部材側面部に当てがうことができると共に、該ホルダ部９とストラップ１０との間に挟持固定されたバッテリケーブル１が、機体振動等によりガタついてしまうことを防止できる。
【００２４】
尚、本発明は、前記第一、第二の実施の形態に示したバッテリケーブルに限定されることなく、各種電装機器類に接続される電気配線を固定する場合に用いることができるが、バッテリケーブルのように、万一ショートすると被害が大きくなる惧れがある電気配線には、特に有用である。
【図面の簡単な説明】
【００２５】
【図１】（Ａ）、（Ｂ）は第一の実施の形態におけるバッテリケーブルを固定した状態を示す正面図、側面図、（Ｃ）は（Ａ）のＸ−Ｘ断面図である。
【図２】（Ａ）は第一の実施の形態におけるバッテリケーブルを固定した状態を示す斜視図、（Ｂ）は第一の実施の形態におけるストラップの巻回状態を示すストラップ部材の斜視図である。
【図３】（Ａ）は第一の実施の形態におけるブラケットの斜視図、（Ｂ）は第一の実施の形態におけるストラップ部材の斜視図である。
【図４】（Ａ）、（Ｂ）は第二の実施の形態におけるバッテリケーブルを固定した状態を示す正面図、側面図、（Ｃ）は（Ａ）のＸ−Ｘ断面図である。
【図５】（Ａ）は第二の実施の形態におけるバッテリケーブルを固定した状態を示す斜視図、（Ｂ）は第二の実施の形態におけるストラップの巻回状態を示すストラップ部材の斜視図である。
【図６】（Ａ）は第二の実施の形態におけるブラケットの斜視図、（Ｂ）は第二の実施の形態におけるストラップ部材の斜視図である。
【符号の説明】
【００２６】
１          バッテリケーブル
２          ブラケット
２ａ、２ｂ  側面部
２ｃ        底面部
３          ストラップ部材
４          躯体部材
５          ホルダ部
５ｂ        ブラケット係止部
５ｃ        凹部
５ｅ        ストラップ係止孔部
６          ストラップ
７          ブラケット
８          ストラップ部材
９          ホルダ部
９ｂ        ブラケット係止部
９ｃ        凹部
９ｅ        ストラップ係止孔部
１０        ストラップ
Ｓ          間隙
【図１】
2008283817.tif 000003
【図２】
2008283817.tif 000004
【図３】
2008283817.tif 000005
【図４】
2008283817.tif 000006
【図５】
2008283817.tif 000007
【図６】
2008283817.tif 000008